(57)【要約】      （修正有）【課題】構造がシンプルで、しかも木目模様或いは竹質模様の表面を有し、使用上の質感を高められる座標入力機を提供する。【解決手段】座標入力機は第一板層１１０、電磁式モジュール及び第二板層１２０を有する。第一板層１１０は貫通部、書き込み面１１２及び底面を有する。第一板層１１０の書き込み面１１２は木目模様１１２ａ或いは竹質模様を有する。第一板層１１０の底面には貫通部を開設する。電磁式モジュールは貫通部に位置し、電磁式モジュールは電磁信号の発送或いは受信に用いる。第二板層１２０は第一板層１１０の底面に接着する。【選択図】図１
0003208419.tif 000002
【実用新案登録請求の範囲】
【請求項１】
座標入力機であって、第一板層、電磁式モジュール、第二板層を有し、
前記第一板層は、貫通部、相対する書き込み面と底面を有し、前記第一板層の前記書き込み面は、木目模様或いは竹質模様を有し、前記第一板層の前記底面には、前記貫通部を開設し、
前記電磁式モジュールは、前記貫通部に位置し、前記電磁式モジュールは、電磁信号の発送或いは受信に用い、
前記第二板層は、前記第一板層の前記底面に接着されることを特徴とする座標入力機。
【請求項２】
前記木目模様は、天然木材、人造木材或いは複合板材の内のいずれか一つであることを特徴とする請求項１に記載の座標入力機。
【請求項３】
前記竹質模様は、天然竹材、人造竹材或いは複合板材の内のいずれか一つであることを特徴とする請求項１に記載の座標入力機。
【請求項４】
前記第一板層は、天然木材、人造木材、天然竹材、人造竹材或いは複合板材の内のいずれか一つであることを特徴とする請求項１に記載の座標入力機。
【請求項５】
前記第一板層は、無垢材、突き板接着、合板、集成材、MDF、フィンガーボード、プラスチック合板、ウッドコアプレート、竹板或いは層板の内のいずれか一つであることを特徴とする請求項１に記載の座標入力機。
【請求項６】
前記第一板層の前記書き込み面の表面は平坦であることを特徴とする請求項１に記載の座標入力機。
【請求項７】
前記電磁式モジュールは、アンテナ部と回路アセンブリを有し、
前記回路アセンブリは、前記アンテナ部の電磁信号の発送、或いは前記回路アセンブリの、前記アンテナ部が受信した電磁信号の受信、処理をコントロールすることを特徴とする請求項１に記載の座標入力機。
【請求項８】
前記第二板層は、滑り止め面を有することを特徴とする請求項１に記載の座標入力機。
【請求項９】
前記第二板層の前記滑り止め面の表面は平坦であることを特徴とする請求項７に記載の座標入力機。
【請求項１０】
前記座標入力機は連接ポートをさらに有し、
前記連接ポートは、前記第一板層内の前記電磁式モジュールに連通することを特徴とする請求項１に記載の座標入力機。
【考案の詳細な説明】
【技術分野】
【０００１】
本考案は電磁誘導の座標入力機に関し、特に木目模様を有する座標入力機に関する。
【背景技術】
【０００２】
座標入力機（Ｃｏｏｒｄｉｎａｔｅｄ Ｉｎｐｕｔ Ｄｅｖｉｃｅ）は、電磁技術を使用するコンピューター週辺のインプットデバイスである。
その使用方式は、専用の電磁ペンを用いて、タブレット表面のワークスペース上で書き込みを行う。
電磁ペンは、特定周波数の電磁信号を発する。
座標入力機内部には、コントロールパネル及びアンテナ基板を有する。
コントローラーは順番にアンテナ基板のＸ軸及びＹ軸を走査する。
次に信号の大きさに基づき、書き込まれた絶対座標を計算し、コンピューターに伝送する。
【０００３】
従来の座標入力機の上下ケース板の間には、発泡プラスチック材料を挟む。
発泡プラスチック材料により、収容設置空間を形成し、コントロールパネル内の電子パーツを、発泡プラスチック材料内の収容設置空間中に設置する。
アンテナ基板を発泡プラスチック材料に接着し、上下ケース板を結合後に従来の座標入力機を形成する。
しかし、上述の組み立てプロセスは人手により位置を合わせて接着しなければならないため、位置合わせにズレが生じやすく、しかも上述の構造方式は比較的複雑である。
【考案の概要】
【考案が解決しようとする課題】
【０００４】
本考案の目的は、構造がシンプルで、しかも木目模様或いは竹質模様の表面を有し、使用上の質感を高められる座標入力機を提供することにある。
【課題を解決するための手段】
【０００５】
本考案による座標入力機は、第一板層、電磁式モジュール及び第二板層を有する。
該第一板層は、貫通部、相対する書き込み面と底面を有する。
該第一板層の書き込み面は、木目模様或いは竹質模様を有する。
該第一板層の底面には、貫通部を開設する。
該電磁式モジュールは、貫通部に位置し、該電磁式モジュールは、電磁信号の発送或いは受信に用いる。
第二板層は、該第一板層の底面に接着する。
【考案の効果】
【０００６】
本考案による座標入力機において、該第一板層の底面には、貫通部を開設し、該電磁式モジュールを、該貫通部に設置する。
これにより、構造を簡略化できるばかりか、該第一板層の書き込み面は、木目模様或いは竹質模様を有するため、使用上の質感を高められる。
【図面の簡単な説明】
【０００７】
【図１】本考案一実施形態の座標入力機の模式図である。
【図２】図１に示す座標入力機の分解図である。
【図３】図１に示す電磁式モジュールを第一板層に取り付ける様子を示す模式図である。
【図４】本考案による別種の実施形態の座標入力機の模式図である。
【考案を実施するための形態】
【０００８】
（一実施形態）
図１は、本考案一実施形態の座標入力機の模式図である。
図２は、図１に示す座標入力機の分解図である。
図３は、図１に示す電磁式モジュールを第一板層に取り付ける様子を示す模式図である。
【０００９】
本実施形態では、座標入力機１００は、第一板層１１０、第二板層１２０、電磁式モジュール１３０及び連接ポート１４０を有する。
第一板層１１０は、天然木材、人造木材或いは複合板材の内のいずれか一つであるが、本考案はこれに制限されない。
一実施形態中では、第一板層は、無垢材、突き板接着、合板、集成材、MDF、フィンガーボード、プラスチック合板、ウッドコアプレート或いは層板の内のいずれか一つである。
言い換えれば、第一板層１１０は、無垢材、突き板接着、合板、集成材、MDF、フィンガーボード、プラスチック合板、ウッドコアプレート或いは層板の形態で形成される。
【００１０】
第一板層１１０は、相対する書き込み面１１２、底面１１４及び貫通部１１６を有する。
第一板層１１０の書き込み面１１２には、表面光沢処理を施し、第一板層１１０の書き込み面１１２の表面は平坦である。
一実施形態では、書き込み面には、硬化加工処理を施し、これにより書き込み面１１２は傷や摩耗に強く書き込みに使用でき、こうして使用機能性を高められる。
【００１１】
第一板層１１０の書き込み面１１２は、木目模様１１２ａを有する。
本実施形態では、木目模様１１２ａは、天然木材、人造木材或いは複合板材の内のいずれか一つで、第一板層１１０に選定される材質に基づき決まるが、本考案はこれに限定されない。
第一板層１１０の書き込み面１１２が、木質模様を有する木目模様１１２ａを現せればそれで良い。
【００１２】
例えば、一実施形態中では、第一板層１１０は、天然木材により製造し、その書き込み面１１２上には、木目模様１１２ａを有し、木質模様の外観を現す。
別種の実施形態では、木目模様１１２ａを薄皮接着の方式で形成し、これにより第一板層１１０上には、木質模様を有する木目模様１１２ａを接着する。
この時、木目模様１１２ａは、天然木材、人造木材或いは複合板材の内のいずれか一つで、第一板層１１０そのものも、天然木材、人造木材、複合板材或いはプラスチック等の他の材質を組み合わせて構成される。
【００１３】
他の実施形態においては、第一板層１１０は、合板、集成材、MDF、フィンガーボード、プラスチック合板、ウッドコアプレート或いは層板等により製造する。いかなる設計を採用するかは、実際の必要に応じて決定し、第一板層１１０の書き込み面１１２に木質模様を有する木目模様１１２ａが現せられればそれで良い。
【００１４】
第一板層１１０の底面１１４には、貫通部１１６を開設する。
電磁式モジュール１３０は、貫通部１１６に位置し、電磁式モジュール１３０は、電磁信号の発送或いは受信に用いる。
【００１５】
電磁式モジュール１３０は、アンテナ部１３２、回路アセンブリ１３４及びコネクター１３６を有する。
【００１６】
アンテナ部１３２は、回路アセンブリ１３４に接続し、回路アセンブリ１３４は例えば、回路基板である。
回路基板は、アンテナ部１３２の電磁信号の発送をコントロールし、或いは回路アセンブリ１３４のアンテナ部１３２が受信した電磁信号の受信と処理をコントロールする。
【００１７】
コネクター１３６は、回路アセンブリ１３４に接続し、コネクター１３６の位置は、連接ポート１４０の位置に対応する。
本実施形態では、連接ポート１４０は例えば、第一板層１１０側面の開槽で、しかも連接ポート１４０は、第一板層１１０内の電磁式モジュール１３０に連通する。
【００１８】
第二板層１２０は、第一板層１１０の底面１１４に接着する。
本実施形態中では、第二板層１２０は、滑り止め面１２２を有し、しかも第二板層１２０の滑り止め面１２２の表面は平坦である。
本考案では第二板層の材質を制限するものではなく、スポンジ（ｓｐｏｎｇｅ）などであるが、実際の製品に応じて、第二板層の材質を調整する。
【００１９】
図４は、本考案による別種の実施形態の座標入力機の模式図である。
図４の座標入力機２００と図１の座標入力機１００は相似しており、相同のパーツは相同の符号により表示し、しかも相同の機能については再説明を行わず、差異についてのみ説明する。
【００２０】
本実施形態では、座標入力機２００の第一板層２１０は、天然竹材、人造竹材或いは複合板材の内のいずれか一つであるが、本考案はこれに制限されず、第一板層２１０に選定される材質に基づき決まるが、本考案はこれに限定されない。
第一板層２１０の書き込み面２１２が、竹質模様を有する竹質模様２１２ａであれば、それで良い。
【００２１】
例えば、一実施形態中では、第一板層２１０は、天然竹材により製造し、書き込み面２１２上には、竹質模様２１２ａを有し、竹質模様の外観を現す。
【００２２】
別種の実施形態では、竹質模様２１２ａを薄皮接着の方式で形成する。
即ち、本実施形態の第一板層２１０には、竹質模様を有する竹質模様２１２ａを接着する。
この時、竹質模様２１２ａは天然竹材、人造竹材或いは複合板材の内のいずれか一つで、第一板層２１０そのものも天然竹材、人造竹材或いは複合板材等の他の材質を組み合わせて構成される。
或いは合板、集成材、MDF、フィンガーボード、プラスチック合板、竹板或いは層板等により製造することもできる。
上述のいずれの設計を採用するかは、実際の必要に応じて決定し、第一板層２１０の書き込み面２１２が、竹質模様を有する竹質模様２１２ａであれば、それで良い。
【００２３】
他の実施形態では、第一板層２１０は、図１に示す実施形態の木質模様を有する木目模様１１２ａを接着する。
これにより、竹材により製造する第一板層２１０上の書き込み面２１２は、木質模様を有する木目模様を現す。
木目模様は上述したため、ここでは説明しない。
或いは、図１に示す実施形態の第一板層１１０に竹質模様を有する竹質模様２１２ａを接着し、木材で製造する第一板層１１０上の書き込み面１１２は、竹質模様を有する竹質模様を現す。
第一板層１１０については上述したため、ここでは説明しない。
【００２４】
上記を総合すると、本考案による座標入力機において、第一板層底面には貫通部を開設し、電磁式モジュールを貫通部に設置することで、構造を簡略化できるばかりか、第一板層の書き込み面は木目模様或いは竹質模様を有し、使用上の質感を高められる。
【００２５】
前述した本考案の実施形態は本考案を限定するものではなく、よって、本考案により保護される範囲は後述される実用新案登録請求の範囲を基準とする。
【符号の説明】
【００２６】
１００、２００  座標入力機
１１０、２１０  第一板層
１１２、２１２  書き込み面
１１２ａ  木目模様
２１２ａ  竹質模様
１１４  底面
１１６  貫通部
１２０  第二板層
１２２  滑り止め面
１３０  電磁式モジュール
１３２  アンテナ部
１３４  回路アセンブリ
１３６  コネクター
１４０  連接ポート
【図１】
0003208419.tif 000003
【図２】
0003208419.tif 000004
【図３】
0003208419.tif 000005
【図４】
0003208419.tif 000006
【手続補正書】
【提出日】平成28年11月2日(2016.11.2)
【手続補正１】
【補正対象書類名】実用新案登録請求の範囲
【補正対象項目名】請求項９
【補正方法】変更
【補正の内容】
【請求項９】
前記第二板層の滑り止め面の表面は平坦であることを特徴とする請求項７に記載の座標入力機。